(57)【要約】【課題】温風と冷風とを同時に送風可能であって、有効に毛髪や地肌の過剰な過熱を防止することを可能としたヘアドライヤーの提供を図る。【解決手段】ドライヤー本体２と送風ノズル３とから成り一のファンＦで送風を行うヘアドライヤー１において、ドライヤー本体２が、境界壁６によりファンＦと送出口８との中間位置にヒーターＨが備えられることで温風を送風するための温風流路４と、冷風を送風するための冷風流路５とに分流された構造となっている。かかるドライヤー本体２の構造に合わせて、送風ノズル３も、境界壁１２により温風を送風するための温風流路１０と冷風を送風するための冷風流路１１とに分流されている【選択図】図１
2010274050.tif 000002
【特許請求の範囲】
【請求項１】
ドライヤー本体と送風ノズルとから成り一のファンで送風を行うヘアドライヤーにおいて、ドライヤー本体が、境界壁により、ファンと送出口との中間位置にヒーターが備えられることで温風を送風するための温風流路と、冷風を送風するための冷風流路とに分流されており、温風及び冷風を同時に送風可能としたことを特徴とするヘアドライヤー。
【請求項２】
前記ヘアドライヤーにおいて、ドライヤー本体が境界壁からなる内筒と外壁とによる二重筒構造となっており、温風流路を構成する内筒の外周に該内筒と外壁とで冷風流路が構成されていることを特徴とする請求項１に記載のヘアドライヤー。
【請求項３】
前記ヘアドライヤーにおいて、ドライヤー本体が外壁内に二の境界壁を備え、該二の境界壁と外壁とで温風流路が構成されているとともに、該温風流路の上下あるいは左右には夫々一の境界壁と外壁とで冷風流路が構成されていることを特徴とする請求項１に記載のヘアドライヤー。
【請求項４】
前記ヘアドライヤーにおいて、送風ノズルが、前記ドライヤー本体における温風流路並びに冷風流路に合わせて、境界壁により温風を送風するための温風流路と冷風を送風するための冷風流路とに分流されていることを特徴とする請求項１から請求項４のいずれかに記載のヘアドライヤー。
【請求項５】
前記ヘアドライヤーにおいて、送風ノズルが境界壁からなる内筒と外壁とによる二重筒構造となっており、温風流路を構成する内筒の外周に該内筒と外壁とで冷風流路が構成されていることを特徴とする請求項４に記載のヘアドライヤー。
【請求項６】
前記ヘアドライヤーにおいて、送風ノズルが外壁内に二の境界壁を備え、該二の境界壁と外壁とで温風流路が構成されているとともに、該温風流路の上下あるいは左右には夫々一の境界壁と外壁とで冷風流路が構成されていることを特徴とする請求項４に記載のヘアドライヤー。
【請求項７】
前記ヘアドライヤーにおいて、送風ノズルにおける境界壁が、送風方向に対して傾斜角が２０°〜４５°の範囲内でテーパー状にあるいは角度を設けつつ絞り込まれた構造となっていることを特徴とする請求項４から請求項６のいずれかに記載のヘアドライヤー。
【請求項８】
前記ヘアドライヤーにおいて、ドライヤー本体における冷風流路あるいは送風ノズルにおける冷風流路に、送風遮断機構が備えられていることを特徴とする請求項１から請求項７のいずれかに記載のヘアドライヤー。
【請求項９】
前記ヘアドライヤーにおいて、ドライヤー本体における温風流路並びに冷風流路あるいは送風ノズルにおける温風流路並びに冷風流路に、送風遮断機構が備えられていることを特徴とする請求項１から請求項７のいずれかに記載のヘアドライヤー。
【発明の詳細な説明】
【技術分野】
【０００１】
本発明は、ヘアドライヤーに関し、詳しくは、温風と冷風とを同時に送風可能なヘアドライヤーに関するものである。
【背景技術】
【０００２】
ヘアドライヤーは、濡れた毛髪を乾燥させたり、髪型をセットする際に使用される。ところで、従来のヘアドライヤーは、温風あるいは冷風のいずれか一方のみを切替えにより送風するものであった。したがって、温風を毛髪に対して送風した際に、毛髪が熱せられすぎ、毛髪を痛めてしまうことがあった。また、毛髪を熱するだけでなく、地肌が熱せられてしまうこともあり、火傷の危険を伴うものであった。
【０００３】
かかる問題を解決すべく、特開２００５−３３４１３０号公報（特許文献１）に記載された技術が提案されている。これは、ヘアドライヤーの送風流路を左右の二つに分け、一方で温風を送風しつつ、他方で冷風を送風することで、温風と冷風とを同時に送風するようにしたものである。かかる提案によれば、温風と冷風を同時に送風することで、温風により毛髪や地肌が熱せられすぎた際に、即座に冷風を当てることが可能となる。
【０００４】
【特許文献１】特開２００５−３３４１３０号公報
【発明の開示】
【発明が解決しようとする課題】
【０００５】
しかしながら、上記特許文献１によると、温風と冷風とを同時に送風できるものの、実際にはヘアドライヤーの向きや角度を変更することで、毛髪や地肌に当たる送風が温風か冷風かを切替えるものであるため、結局のところ上述したような問題を根本から解決するものではなかった。
【０００６】
そこで本発明は、上記問題点に鑑みてなされたものであって、温風と冷風とを同時に送風可能であって、有効に毛髪や地肌の過剰な過熱を防止することを可能としたヘアドライヤーを提供することを課題とするものである。
【課題を解決するための手段】
【０００７】
前記課題を解決するため、本発明は、ドライヤー本体と送風ノズルとから成り一のファンで送風を行うヘアドライヤーにおいて、ドライヤー本体が、境界壁により、ファンと送出口との中間位置にヒーターが備えられることで温風を送風するための温風流路と、冷風を送風するための冷風流路とに分流されており、温風及び冷風を同時に送風可能とした構造となっている。
【０００８】
また、本発明は、前記ヘアドライヤーにおいて、ドライヤー本体が境界壁からなる内筒と外壁とによる二重筒構造となっており、温風流路を構成する内筒の外周に該内筒と外壁とで冷風流路が構成されている構造とすることができる。
【０００９】
さらに、本発明は、前記ヘアドライヤーにおいて、ドライヤー本体が外壁内に二の境界壁を備え、該二の境界壁と外壁とで温風流路が構成されているとともに、該温風流路の上下あるいは左右には夫々一の境界壁と外壁とで冷風流路が構成されている構造を採用することができる。
【００１０】
そしてまた、本発明は、前記ヘアドライヤーにおいて、送風ノズルが、前記ドライヤー本体における温風流路並びに冷風流路に合わせて、境界壁により温風を送風するための温風流路と冷風を送風するための冷風流路とに分流されている構造を採用することもできる。
【００１１】
さらにまた、本発明は、前記ヘアドライヤーにおいて、送風ノズルが境界壁からなる内筒と外壁とによる二重筒構造となっており、温風流路を構成する内筒の外周に該内筒と外壁とで冷風流路が構成されている構造を採ることが可能である。
【００１２】
またさらに、本発明は、前記ヘアドライヤーにおいて、送風ノズルが外壁内に二の境界壁を備え、該二の境界壁と外壁とで温風流路が構成されているとともに、該温風流路の上下あるいは左右には夫々一の境界壁と外壁とで冷風流路が構成されている構造とすることもできる。
【００１３】
そしてまた、本発明は、前記ヘアドライヤーにおいて、送風ノズルにおける境界壁が、送風方向に対して傾斜角が２０°〜４５°の範囲内でテーパー状にあるいは角度を設けつつ絞り込まれた構造を採用することができる。
【００１４】
そしてさらに、本発明は、前記ヘアドライヤーにおいて、ドライヤー本体における冷風流路あるいは送風ノズルにおける冷風流路に、送風遮断機構が備えられている構造を採ることができる。
【００１５】
またさらに、本発明は、前記ヘアドライヤーにおいて、ドライヤー本体における温風流路並びに冷風流路あるいは送風ノズルにおける温風流路並びに冷風流路に、送風遮断機構が備えられている構造を採ることが可能である。
【発明の効果】
【００１６】
本発明にかかるヘアドライヤーによれば、温風を送風するための温風流路を囲むようにあるいは挟むように冷風を送風するための冷風流路が配備された構造を採用しているため、温風の周囲を冷風でガードすることが可能であり、毛髪を温風で当てつつその周囲の地肌を冷風で保護することができる。
【００１７】
また、本発明にかかるヘアドライヤーによれば、温風と冷風とが程良く混合することで、毛髪や地肌の過剰な過熱を有効に防止することが可能になる。
【発明を実施するための最良の形態】
【００１８】
以下、本発明にかかるヘアドライヤー１の実施形態について、図面を参照しながら詳細に説明する。
【００１９】
図１は、本発明にかかるヘアドライヤー１の実施形態を示す断面図である。
本実施形態におけるヘアドライヤー１は、図面に示すように、ドライヤー本体２と送風ノズル３とから構成され、一のファンＦで送風を行うヘアドライヤー１である。
【００２０】
ドライヤー本体２は、ファンＦと送出口８との中間位置にヒーターＨが備えられることで、温風を送風するための温風流路４が備えられている。また、該温風流路４の周囲には、冷風を送風するための冷風流路５が備えられている。かかる構造を採用することにより、該送出口８より温風及び冷風を同時に送風することが可能となっている。
【００２１】
ドライヤー本体２における温風流路４と冷風流路５とは、境界壁６によって区切られ分流されている。かかる境界壁６による温風流路４並びに冷風流路５の具体的な構造については、例えば図２に示すように、境界壁６による内筒と外壁７とによる二重筒構造を採用し得る。このとき、内筒は温風流路４を構成し、該温風流路４を構成する内筒の外周には、該内筒と外壁７とで冷風流路が構成されている。
【００２２】
また、かかる境界壁６による温風流路４並びに冷風流路５の具体的な構造については、例えば図３に示すように、外壁７内に二の境界壁６を備えた構造を採用し得る。このとき、二の境界壁６と外壁７とで囲まれた部分で温風流路４が構成され、該温風流路４の上下あるいは左右において、夫々一の境界壁６と外壁７とで囲まれた部分が、冷風流路５を構成することとなる。
【００２３】
送風ノズル３は、境界壁１２により温風を送風するための温風流路１０を備えているとともに、該温風流路１０の周囲には、冷風を送風するための冷風流路１１が備えられている。かかる構造を採用することにより、前記ドライヤー本体２の送出口８から送られてくる温風及び冷風を、そのまま分流した状態で送風することが可能となっている。
【００２４】
送風ノズル３における温風流路１０と冷風流路１１とは、境界壁１２によって区切られ分流されている。かかる境界壁１２による温風流路１０並びに冷風流路１１の具体的な構造については、前記ドライヤー本体２における温風流路４並びに冷風流路５に合わせた構造を採用する。例えば図２に示すように、ドライヤー本体２について二重筒構造を採用した場合、送風ノズル３についても境界壁１２からなる内筒と外壁１３とによる二重筒構造を採用する。このとき、内筒は温風流路１０を構成し、該温風流路１０を構成する内筒の外周には、該内筒と外壁１３とで冷風流路１１が構成されることとなる。
【００２５】
また、かかる境界壁１２による温風流路１０並びに冷風流路１１の具体的な構造について、例えば図３に示すように、ドライヤー本体２について外壁７内に二の境界壁６を備えた構造を採用した場合、送風ノズル３についても外壁１３内に二の境界壁１２を備えた構造を採用する。このとき、二の境界壁１２と外壁１３とで囲まれた部分により温風流路１０が構成され、該温風流路１０の上下あるいは左右において、夫々一の境界壁１２と外壁７とで囲まれた部分が、冷風流路１１を構成することとなる。
【００２６】
なお、送風ノズル３における境界壁１２については、図面に示すように、送風方向に対して２０°〜４５°の範囲内で傾斜角を設ける構造とすることが望ましく、かかる範囲内でも、温風並びに冷風の吹き出し角度についての経験則上、特に３０°前後が最も好ましい。すなわち、該境界壁１２は、図２に示すようにテーパー状に、あるいは、図３に示すように角度を設けつつ、絞り込まれた構造となる。かかる構造を採用することにより、各温風・冷風ともに夫々風圧を向上させることができるとともに、温風の外側を送風される冷風が外方向へ逃げるのを防止することができ、さらには、中心に送風される温風を外側の冷風で確実に隔離することが可能となる。
【００２７】
このとき、送風ノズル３における境界壁１２並びに外壁１３について、図示されてはいないが、自由に角度の調節が可能なように構成することも考え得る。かかる構成を採用することで、ヘアドライヤー１の使用者に応じて、温風や冷風の吹き出し角度を自由に設定することが可能となって、使い勝手が格段に良くなる。
【００２８】
本発明にかかるヘアドライヤー１は、以上の通り構成され、電源ＯＮにすることによりファンＦが作動して、ドライヤー本体２における吸入口９から吸入された空気が温風流路４や冷風流路５を通過し、送出口８から送風ノズル３へ送られ、送風ノズル３における温風流路１０や冷風流路１１を通過し、最終的に送風口１４から送風されることとなる。このとき、温風流路４内にあるヒーターＨの作用により、吸入口９から吸入された空気が熱せられ、温風流路４からは温風が送風されることとなる。また、該温風流路４の周囲に配備された冷風流路５からは、境界壁６で区切られることにより温風流路４内のヒーターＨによる加熱が行われることなく、吸入口９から吸入された空気がそのまま冷風として送風されることとなる。これにより、温風と冷風とを送風ノズル３を介して同時に送風することが可能となる。
【００２９】
このとき、図４に示すように、ドライヤー本体２における冷風流路５、あるいは、送風ノズル３における冷風流路１１に、送風遮断機構１７が備えられた構造も考え得る。なお、図面では、送風ノズル３をドライヤー本体２に対して出し入れすることで、かかる送風遮断機構１７が機能する構成について示している。ただし、本発明にかかる送風遮断機構１７の構造については、手動的であると自動的であるとを問わず、冷風流路５，１１を塞いで冷風を効果的に遮断することが可能であれば、図示した構造に限定されるものではない。かかる構造によれば、ドライヤー本体２あるいは送風ノズル３のいずれかにおいて、冷風の送風を効果的に遮断することが可能となり、必要に応じて温風のみを送風することが可能になる。
【００３０】
また、ドライヤー本体２における温風流路４あるいは送風ノズルにおける温風流路１０に、送風遮断機構１５を備える構造を採用することも考え得る。なお、図４では、ドライヤー本体２における温風流路４に送風遮断機構１５を備えた構成について図示している。該図面では、遮断板を手動的に回転させることで温風の遮断を行う構造の送風遮断機構１５について示しているが、該送風遮断機構１５の構造については、手動的であると自動的であるとを問わず、温風流路４，１０を塞いで温風を効果的に遮断することが可能であれば、図示した構造に限定されるものではない。かかる構造を採用することにより、必要に応じて送風遮断機構１５を切替スイッチ１６で操作して、冷風のみの送風、あるいは、温風及び冷風両方の送風を、自在に切替えることが可能となる。
【００３１】
かかる送風遮断機構１５，１７について、上述において冷風流路５，１１における送風遮断機構１７と温風流路４，１０における送風遮断機構１５とを別々に説明したが、冷風流路５，１１における送風遮断機構１７並びに温風流路４，１０における送風遮断機構１５とを同時に本発明に採用することが可能であることは、いうまでもない。
【００３２】
また、ドライヤー本体２において、ヒーターＨによる加熱行わずに、温風流路４，１０及び冷風流路５，１１の両方から冷風のみを送風させることが可能であることについても、いうまでもない。
【００３３】
以上のように、本発明にかかるヘアドライヤー１によれば、温風の周囲を冷風でガードしながらヘアドライヤー１を使用することができるため、毛髪にピンポイントで温風を送風しつつ、周囲の地肌には冷風を送風することが可能であり、地肌の火傷の危険を解消することができる。
そしてまた、温風と冷風とが程良く混合することで、毛髪や地肌の過剰な過熱を有効に防止することが可能になるため、毛髪を傷めたりする心配もない。
さらにまた、温風でセットした毛髪を冷風により固める作業を、容易かつ即座に行うことが可能である。
【産業上の利用可能性】
【００３４】
本発明にかかるヘアドライヤー１は、簡単な構造で温風と冷風とを同時に送風可能とすることで、該ヘアドライヤー１を使用することによって伴う危険を解消することができるとともに、温風のみや冷風のみを送風することが可能であり、個人的にも理美容界においても使用価値が充分であって、本発明の産業上の利用可能性は非常に大きいといえる。
【図面の簡単な説明】
【００３５】
【図１】本発明にかかるヘアドライヤーの実施形態を示す断面図である。
【図２】本発明にかかるヘアドライヤーの実施形態を示す説明図である。
【図３】本発明にかかるヘアドライヤーの実施形態を示す説明図である。
【図４】本発明にかかるヘアドライヤーの実施形態を示す断面図である。
【符号の説明】
【００３６】
１    ヘアドライヤー
２    ドライヤー本体
３    送風ノズル
４    温風流路
５    冷風流路
６    境界壁
７    外壁
８    送出口
９    吸入口
１０    温風流路
１１    冷風流路
１２    境界壁
１３    外壁
１４    送風口
１５    送風遮断機構
１６    切替スイッチ
１７    送風遮断機構
Ｆ    ファン
Ｈ    ヒーター
【図１】
2010274050.tif 000003
【図２】
2010274050.tif 000004
【図３】
2010274050.tif 000005
【図４】
2010274050.tif 000006